(57)【要約】【課題】  ワッシャの回転を容易にし、作業性を高めることが可能なレンチ及び胴縁受金具セットを提供する。【解決手段】  レンチ１は、複数の角部２１及び縁部２２を有するワッシャ２を回転させるためのレンチ１であって、回転操作のために一端に設けられた把持部１１と、ワッシャ２に係止するために他端に設けられており、ベース部１２ｘ、屈曲部１２ｙ、及び折返し部１２ｚを有して断面略コ字状をなす一対の係止部１２ａ及び１２ｂとを備え、一対の係止部１２ａ及び１２ｂ各々は、開口側を内側にし、先端１２ｐ間の距離Ｍが基端１２ｑ間の距離Ｎよりも長くなるように傾斜して対向配置されている。【選択図】  図１
2006075923.tif 000002
【特許請求の範囲】
【請求項１】
複数の角部及び縁部を有するワッシャを回転させるためのレンチであって、
回転操作のために一端に設けられた把持部と、
前記ワッシャに係止するために他端に設けられており、ベース部、屈曲部、及び折返し部を有して断面略コ字状をなす一対の係止部とを備え、
前記一対の係止部各々は、開口側を内側にし、先端間の距離が基端間の距離よりも長くなるように傾斜して対向配置されている、
ことを特徴とするレンチ。
【請求項２】
前記一対の係止部各々の長手方向は、中心線に対して３度〜１５度の角度で傾斜していることを特徴とする、請求項１に記載のレンチ。
【請求項３】
前記一対の係止部各々は、前記先端間の距離が前記ワッシャの外形の内接円の直径より長く、且つ、前記基端間の距離が前記直径より短くなるように配置されていることを特徴とする、請求項１または２記載のレンチ。
【請求項４】
前記一対の係止部各々は、前記先端から前記基端までの距離のうち前記先端から１／４〜１／２の範囲の部分で前記ワッシャの前記角部又は前記縁部と接触することを特徴とする、請求項１〜３のいずれかに記載のレンチ。
【請求項５】
複数の角部及び縁部を有するワッシャ、該ワッシャと一体に回転可能なナット部材、及び前記ナット部材を介して前記ワッシャとは独立して回転可能に一体化された受部を有する胴縁受金具と、
請求項１〜４のいずれかに記載のレンチと、
を備えることを特徴とする胴縁受金具セット。
【発明の詳細な説明】
【技術分野】
【０００１】
本発明は、レンチ及び胴縁受金具セットに関するものである。
【背景技術】
【０００２】
近年、断熱性能の向上や結露の防止に有効な手段として、外断熱が注目を浴びている。この外断熱とは、具体的には、建物躯体のコンクリート外壁を断熱材で覆い、さらにその外側に空気層を介して外装材を取り付けるものである。この外断熱に用いられる外装材取付具は、例えば、下記特許文献１〜３に開示されている。
【０００３】
この特許文献１に記載の外装材取付具において、取付ピース及び回転盤を有する胴縁受金具とリベットナットとを一体化したコンポーネント部材は、建物躯体のコンクリート壁面に打ち込み固定されたアンカーボルトと連結されているボルトの遊端側に、ボルト回りに回動自在な状態で取り付けられている。そして、コンクリート壁面に沿って延びる胴縁が、この胴縁受金具により支持されると共に、胴縁受金具にビス留めされている。胴縁を胴縁受金具にビス留めした後、回転盤を手で回転させて不陸（レベル）調整を行うことがある。
【特許文献１】特開昭６０−５１２６６号公報
【特許文献２】特開昭５４−３７３１１号公報
【特許文献３】特開平６−６６０２４号公報
【発明の開示】
【発明が解決しようとする課題】
【０００４】
しかしながら、上記の回転盤のようなワッシャを手で回転させて不陸調整を行う際には、大きな力が必要で、また胴縁や断熱材が存在することから、ワッシャの回転が困難であり、作業性が低いという問題があった。
【０００５】
本発明は、上記の問題点を解決するためになされたもので、ワッシャの回転を容易にし、作業性を高めることが可能なレンチ及び胴縁受金具セットを提供することを目的とする。
【課題を解決するための手段】
【０００６】
本発明に係るレンチは、複数の角部及び縁部を有するワッシャを回転させるためのレンチであって、回転操作のために一端に設けられた把持部と、ワッシャに係止するために他端に設けられており、ベース部、屈曲部、及び折返し部を有して断面略コ字状をなす一対の係止部とを備え、一対の係止部各々は、開口側を内側にし、先端間の距離が基端間の距離よりも長くなるように傾斜して対向配置されていることを特徴とする。
【０００７】
このレンチは、一対の係止部を有し、該一対の係止部各々は、開口側を内側にし、先端間の距離が基端間の距離よりも長くなるように傾斜して対向配置されている。このため、複数の角部及び縁部を有するワッシャに対して、該角部又は該縁部に一対の係止部各々の屈曲部を無段階に係止させることができる。これにより、ワッシャの角部又は縁部に一対の係止部各々を係止させることで、ワッシャの回転を容易にでき、また、より多くのサイズのワッシャに対応できるため、作業性を高めることができる。また、このように先端間の距離が基端間の距離よりも長く広げられているため、一対の係止部間におけるワッシャの装着及び脱去を容易にし、作業性をより高めることができる。また、一対の係止部各々が断面略コ字状をなすように折返し部を有するため、一対の係止部間におけるワッシャの不意の脱去を防止することができる。
【０００８】
また、一対の係止部各々の長手方向は、中心線に対して３度〜１５度の角度で傾斜していてもよい。これにより、一対の係止部各々がワッシャの角部又は縁部に対して係止させる際の滑りが少なくなるため、ワッシャの回転をより容易にすることができる。また、上記の角度で傾斜することにより、一対の係止部間におけるワッシャの装着及び脱去がより容易となり、作業性をより高めることができる。
【０００９】
また、一対の係止部各々は、先端間の距離がワッシャの外形の内接円の直径より長く、且つ、基端部間の距離が直径より短くなるように配置されてもよい。これにより、一対の係止部各々の開口側においてワッシャの角部又は縁部に一対の係止部各々の屈曲部を確実に係止させることができるため、ワッシャの回転をより容易にすることができる。
【００１０】
また、一対の係止部各々は、先端から基端までの距離のうち先端から１／４〜１／２の範囲の部分でワッシャの角部又は縁部と接触してもよい。これにより、一対の係止部各々の先端から１／４〜１／２の範囲の部分においてワッシャの角部又は縁部と接触することができるため、ワッシャの中心を軸とした回転モーメントがより大きくなり、ワッシャの回転をより容易にすることができる。また、一対の係止部間におけるワッシャの装着及び脱去がより容易となり、作業性をより高めることができる。
【００１１】
本発明に係る胴縁受金具セットは、複数の角部及び縁部を有するワッシャ、該ワッシャと一体に回転可能なナット部材、及びナット部材を介してワッシャとは独立して回転可能に一体化された受部を有する胴縁受金具と、上記のレンチと、を備える。このような胴縁受金具セットを用いることにより、ワッシャの回転を容易にし、作業性を高めた施工を行うことが可能となる。
【発明の効果】
【００１２】
本発明によれば、ワッシャの回転を容易にし、作業性を高めることが可能なレンチ及び胴縁受金具セットが提供される。
【発明を実施するための最良の形態】
【００１３】
以下、添付図面を参照して、本発明に係るレンチ及び胴縁受金具セットの好適な実施形態について詳細に説明する。尚、同一要素には同一符号を用いるものとし、重複する説明は省略する。また、図面の寸法比率は、説明のものと必ずしも一致していない。
【００１４】
図１（ａ）、図１（ｂ）、及び図１（ｃ）はそれぞれ、レンチを示す平面図、側面図、及び正面から見た端面図である。レンチ１は、図１（ａ）に示すように、複数の角部２１及び縁部２２を有するワッシャ２を回転させるためのレンチである。レンチ１は、一端に把持部１１と、他端に一対の係止部１２とを備えており、一対の係止部１２は、分岐したＹ字状の把持部１１の両先端に備えられている。なお、レンチ１の材質は特に限定されない。また、ワッシャ２の形状は複数の角部２１及び縁部２２を有していれば特に限定されない。ここではまず、ワッシャ２の形状は正八角形であるとして説明する。また、以下の説明で用いる各寸法は、ワッシャ２の中心ＣＰを通る角部２１間の距離Ｒが８７ｍｍ、ワッシャ２の中心ＣＰを通る縁部２２間の距離Ｓが８３ｍｍ、及びワッシャ２の厚さが６ｍｍ〜８ｍｍである場合に適した寸法であり、ワッシャ２の寸法が異なる場合には、適する各寸法も異なる。なお、距離Ｒは距離Ｓよりも長いという関係が常に成立する。
【００１５】
把持部１１は、レンチ１を用いてワッシャ２を回転させる操作のために、レンチ１の一端に設けられている。把持部１１は、図１（ｂ）に示すように、第１把持部１１ａ、第２把持部１１ｂ、及び第３把持部１１ｃを有してなしている。第１把持部１１ａの一方の面には、係止部１２が２つのリベットナット１３により固定されている。第２把持部１１ｂは、第１把持部１１ａとなす角度Θ２が約６０度となるように係止部１２が固定されている面側に傾斜しながら、第１把持部１１ａと接続されている。第３把持部１１ｃは、第２把持部１１ｂとなす角度Θ３が約３０度となるように係止部１２が固定されていない面側に傾斜しながら、第２把持部１１ｂと接続されている。すなわち、第３把持部１１ｃは、第１把持部１１ａとなす角度が約３０度となるように係止部１２が固定されている側に傾斜している。これにより、胴縁や断熱材が存在しても、把持部１１を手で把持して回転盤の不陸調整を行う際にワッシャを容易に回転することができる。なお、図１（ａ）における、レンチ１の先端から第１把持部１１ａ及び第２把持部１１ｂの境界線までの距離Ｈ１は４０ｍｍ〜７５ｍｍであり、該境界線からレンチ１の他端までの距離Ｈ２は６５ｍｍ以下であるのが好ましい。さらに、Ｈ２は、回転操作を行う作業者が把持するのに適した長さにするのがより好ましい。
【００１６】
一対の係止部１２は、図１（ａ）に示すように、ワッシャ２に係止するためにレンチ１の他端に設けられており、係止部１２ａ及び１２ｂを有してなしている。
【００１７】
係止部１２ａ及び１２ｂ各々は、図１（ｃ）に示すように、断面が略コ字状となるように、ベース部１２ｘ、屈曲部１２ｙ、及び折返し部１２ｚを有している。ベース部１２ｘは、第１把持部１１ａにおける、第３把持部１１ｃ（図１（ｂ）参照）が傾斜している側の面とリベットナット１３により固定されている。屈曲部１２ｙは、ベース部１２ｘと連続するとともにベース部１２ｘに対して６ｍｍ〜８ｍｍの高さで直角に立設している。なお、屈曲部１２ｙのこの高さは、ワッシャ２の厚さ（６ｍｍ〜８ｍｍ）よりも長い高さが適切に選ばれる。折返し部１２ｚは、屈曲部１２ｙと連続するとともに屈曲部１２ｙに対して３ｍｍ〜８ｍｍの高さで直角に立設しながらベース部１２ｘと対向している。また、係止部１２ａ及び１２ｂ各々は、ベース部１２ｘ、屈曲部１２ｙ、及び折返し部１２ｚにより囲まれた内側部分である開口を有し、その開口側を内側にして屈曲部１２ｙが対向するように対向配置されている。
【００１８】
また、係止部１２ａ及び１２ｂ各々は、図１（ａ）に示すように、把持部１１から最も遠い先端側の先端１２ｐ、及び把持部１１に最も近い基端側の基端１２ｑを有している。ここで、先端１２ｐ同士で互いに最も遠い先端１２ｐ上の点間の距離を、先端１２ｐ間の距離Ｍと定義する。また、基端１２ｑ同士で互いに最も遠い基端１２ｑ上の点間の距離を、基端１２ｑ間の距離Ｎと定義する。このとき、係止部１２ａ及び１２ｂ各々は、先端１２ｐ間の距離Ｍが基端１２ｑ間の距離Ｎよりも長くなるように傾斜して配置されている。なお、基端１２ｑ間の距離Ｎは、８０ｍｍ〜８１．５ｍｍである。
【００１９】
上記のように、レンチ１は、断面が略コ字状をなす一対の係止部１２ａ及び１２ｂ各々を、開口側を内側にし、先端１２ｐ間の距離Ｍが基端１２ｑ間の距離Ｎよりも長くなるように傾斜して対向配置するように有する。このため、複数の角部２１及び縁部２２を有するワッシャ２に対して、一対の係止部１２ａ及び１２ｂ各々の屈曲部１２ｙをワッシャ２の角部２１又は縁部２２に無段階に係止させることができる。これにより、ワッシャ２を容易に回転させることができ、また、より多くのサイズのワッシャ２に係止させることができるため、作業性を高めることができる。この結果、ワッシャ２のサイズが仮に規定外のサイズであったとしても、予め用意された規定のサイズのみにしか対応できない従来のようなレンチとは異なり、あらゆるサイズのワッシャ２をサイズに関係なく無段階に容易に回転させることができる。
【００２０】
また、レンチ１は、先端１２ｐ間の距離Ｍが基端１２ｑ間の距離Ｎよりも長く広げられているため、レンチ１にワッシャ２を装着させる際には、一対の係止部１２ａ及び１２ｂ各々の開口間にワッシャを嵌め込むだけでよい。また、ワッシャ２からレンチ１を脱去させる際には、ワッシャ２から一対の係止部１２ａ及び１２ｂ各々の基端１２ｑを遠ざけるように引き抜くだけでよい。これにより、一対の係止部１２ａ及び１２ｂ間におけるワッシャ２の装着及び脱去が容易となり、作業性をより高めることができる。また、一対の係止部１２ａ及び１２ｂ各々が断面略コ字状をなすように折返し部１２ｚを有するため、一対の係止部１２ａ及び１２ｂ間におけるワッシャ２の不意の脱去を防止することができる。
【００２１】
また、一対の係止部１２ａ及び１２ｂ各々の長手方向は、係止部１２ａ及び１２ｂ間の中心線ＣＬとなす角度Θ１が３度〜１５度の角度となるように傾斜しているのが好ましい。角度Θ１が３度より小さいと、レンチ１にワッシャ２を装着させたり、ワッシャ２からレンチ１を脱去させることが困難になってしまう。また、角度Θ２が１５度より大きいと、一対の係止部１２ａ及び１２ｂ各々におけるワッシャ２と接触する部分の把持部１１からの距離がより短くなるために、ワッシャ２の中心ＣＰを軸とした回転モーメントが小さくなるので、ワッシャ２を回転させるために要する作業量が大きくなってしまう。角度Θ１を３度〜１５度の角度とすることにより、レンチ１にワッシャ２を装着させる際に、一対の係止部１２ａ及び１２ｂ各々がワッシャ２の角部２１又は縁部２２に対して係止させても滑ることが少なくなるため、ワッシャ２の回転をより容易にすることができる。また、一対の係止部１２ａ及び１２ｂ間におけるワッシャ２の装着及び脱去がより容易となり、作業性をより高めることができる。
【００２２】
また、一対の係止部１２ａ及び１２ｂ各々は、図２に示すように、先端１２ｐ間の距離Ｍがワッシャ２の最も外側の形状である外形における内接円２３の直径Ｓ（すなわち、ワッシャ２の中心ＣＰを通る縁部２２間の距離Ｓ）より長く、且つ、基端１２ｑ間の距離Ｎが直径Ｓより短くなるように配置されてもよい。これにより、一対の係止部１２ａ及び１２ｂ各々の開口側において、ワッシャ２の角部２１又は縁部２２に一対の係止部１２ａ及び１２ｂ各々の屈曲部１２ｙを確実に係止させることができる。これにより、ワッシャ２の角部２１又は縁部２２に一対の係止部１２ａ及び１２ｂ各々を無段階に確実に係止させることができ、ワッシャ２の回転をより容易にして作業性を高めることができる。また、より多くのサイズのワッシャ２に対応して回転させることができ、作業性を高めることができる。
【００２３】
また、一対の係止部１２ａ及び１２ｂ各々は、図１（ａ）に示すように、先端１２ｐから基端１２ｑまでの長手方向の距離Ｌのうち先端１２ｐからＬ／４〜Ｌ／２の範囲の部分でワッシャ２の角部２１又は縁部２２と接触するように配置してもよい。Ｌ／４より短い部分では、ワッシャ２とレンチ１が接する部分が先端１２ｐに近いためにワッシャ２からレンチ１が脱去しやすくなってしまう。また、Ｌ／２より長い部分では、ワッシャ２とレンチ１が接する部分が基端１２ｑに近いためにワッシャ２からレンチ１が脱去しにくくなってしまうとともに、ワッシャ２の中心ＣＰを軸とした回転モーメントが小さくなり作業性が低くなってしまう。このため、一対の係止部１２ａ及び１２ｂ各々の先端１２ｐからＬ／４〜Ｌ／２の範囲の部分においてワッシャ２と接触させた場合に、ワッシャ２の中心ＣＰを軸とした回転モーメントがより大きくなるので、ワッシャ２の回転をより容易にすることができる。なお、Ｌ／３の範囲の部分においてワッシャ２とレンチ１を接触させるのがより好ましい。これにより、一対の係止部１２ａ及び１２ｂ間におけるワッシャ２の装着及び脱去がより容易となり、作業性をより高めることができる。ここで、距離Ｌは３０ｍｍ〜４５ｍｍとするのが好ましい。
【００２４】
図３は、本実施形態に係る胴縁受金具セットを示す斜視図であり、図４は、図３に示す胴縁受金具のＩＶ−ＩＶ線矢視断面図である。
【００２５】
本実施形態に係る胴縁受金具セット４は、図３に示すように、胴縁受金具３と、上記のレンチ１と、を備える。
【００２６】
胴縁受金具３は、図４に示すように、ワッシャ２と、ナット部材３１と、座金３２と、受部３４とを有する。ここで、胴縁受金具３は、アンカーボルト５に取付けられる。
【００２７】
ワッシャ２は、受部３４と接触するための突出部２４を、ワッシャ２の中心ＣＰの周囲に有する。また、ワッシャ２は、中心ＣＰにアンカーボルト等を通すことが可能なワッシャ孔２３を突出部２４上に有する。
【００２８】
受部３４は、ワッシャ２と接触する部分の中心に金具孔３３を有する。ここで、ワッシャ２の突出部２４上に受部３４がワッシャ孔２３と金具孔３３とが重なるように載せられ、さらに該受部３４をワッシャ２と挟むように座金３２が載せられ、これらワッシャ２と受部３４と座金３２とが、ナット部材３１がワッシャ２と一体に回転可能になるように、ナット部材３１により固定されている。なお、受部３４は、ナット部材３１を介してワッシャ２とは独立して回転可能になるように、ナット部材３１によりワッシャ２と一体化されている。
【００２９】
アンカーボルト５は、全長に亘って雄ネジ部５１が形成された直線状のアンカーボルトである。
【００３０】
ナット部材３１は、座金３２と接する部分において、プレスによりカシメ固定されている。また、ナット部材３１は、その内周面に、アンカーボルト５の雄ネジ部５１に対応して螺合する雌ネジ部３１ａが形成されている。これにより、ナット部材３１と一体に回転可能なワッシャ２がアンカーボルト５に対して相対的に回動することにより、ワッシャ２はアンカーボルト５の軸方向にスライドする。
【００３１】
座金３２は、受部３４をワッシャ２と挟むように受部３４の上に載せられており、ナット部材３１をプレスによりカシメ固定しても受部３４の表面が傷つけられるのを防ぎ、該表面を保護する役割を有する。
【００３２】
受部３４は、胴縁７（図５参照）を固定する部材である。受部３４の形状は、胴縁７を固定するのに適しているのが好ましく、特に限定されない。
【００３３】
図５は、胴縁受金具セットを用いた胴縁の取付けを説明する概略斜視図である。鉛直方向に立設された建物躯体のコンクリート外壁６に、アンカーボルト５の一端が埋め込まれており、他端がコンクリート外壁６から露出してコンクリート外壁６の壁面６ａの法線方向に延びている。ガラスウール製の断熱材８は、コンクリート外壁６から露出したアンカーボルト５の遊端側から、押し付けられて固定されている。このように断熱材８の表面８ａから露出しているアンカーボルト５の一端に、胴縁受金具３を取付ける。胴縁受金具３は、上記のように、ナット部材３１と一体に回転可能なワッシャ２をアンカーボルト５に対して相対的に回動することにより、アンカーボルト５に取り付ける。そして、胴縁受金具３の受部３４の切り欠きに嵌まり込む形状を有する胴縁７を嵌め込んで固定した後に、レンチ１を用いてワッシャ２を容易に回転して胴縁の不陸調整（コンクリート外壁６の壁面６ａの法線方向に関する位置調整）を容易に行い、作業性を高めた施工を行うことが可能となる。
【００３４】
次に、本実施形態に係るレンチ及び胴縁受金具セットの、作用及び効果について説明する。
【００３５】
本実施形態に係るレンチ１は、図１（ａ）に示すように、断面が略コ字状をなす一対の係止部１２ａ及び１２ｂ各々を有し、該一対の係止部各々は、開口側を内側にし、先端１２ｐ間の距離Ｍが基端１２ｑ間の距離Ｎよりも長くなるように傾斜して対向配置されている。このため、ワッシャ２に対して、一対の係止部１２ａ及び１２ｂ各々の屈曲部１２ｙを無段階にワッシャ２の角部２１又は縁部２２に係止させることで、ワッシャ２を容易に回転させることができ、また、より多くのサイズのワッシャ２に対応できるため、作業性を高めることができる。
【００３６】
また、本実施形態に係る胴縁受金具セット４は、ワッシャ２、ナット部材３１、及び受部３４を有する胴縁受金具３と、レンチ１とを備える。この胴縁受金具セット４を用いることにより、胴縁受金具３の受部３４に胴縁７を固定後、レンチ１を用いてワッシャ２を容易に回転させて胴縁７の不陸調整を容易に行い、作業性を高めた施工を行うことが可能となる。
【００３７】
以上、本発明者によってなされた発明を実施形態に基づき具体的に説明したが、本発明は上記実施形態に限定されるものではなく、種々の変形が可能である。例えば、ワッシャ２は、以下に示すような正多角形の形状をなすように変形することが可能である。
【００３８】
図６は、レンチ１を用いて容易に回転させることが可能なワッシャ２の外形の３つの変形例を示す平面図である。ワッシャ２は、図６（ａ）に示すように、縁部２２と６つの角部２１とを有する正六角形の形状でもよい。また、ワッシャ２は、図６（ｂ）に示すように、縁部２２と５つの角部２１とを有する正五角形の形状でもよい。さらに、ワッシャ２は、図６（ｃ）に示すように、縁部２２と４つの角部２１とを有する正方形の形状でもよい。上記のように、ワッシャ２の形状は複数の角部２１及び縁部２２を有していれば特に限定されない。
【００３９】
また、レンチ１は、一端の把持部１１と他端の係止部１２とが一体成型されていてもよい。これにより、レンチ１を作成するのに必要となる部材点数を少なくすることができる。なお、上記の実施形態に示したように、一端の把持部１１と他端の係止部１２とを別体とした場合には、部材点数は多くなるものの、レンチ１の作成は容易になる。
【図面の簡単な説明】
【００４０】
【図１】本実施形態に係るレンチを示す平面図、側面図、及び端面図である。
【図２】レンチと、ワッシャの外形との関係を説明する説明図である。
【図３】本実施形態に係る胴縁受金具セットを示す斜視図である。
【図４】図３に示す胴縁受金具のＩＶ−ＩＶ線矢視断面図である。
【図５】胴縁の取付けを説明する概略斜視図である。
【図６】レンチを用いて回転可能なワッシャの外形の変形例を示す平面図である。
【符号の説明】
【００４１】
１…レンチ、２…ワッシャ、３…胴縁受金具、４…胴縁受金具セット、５…アンカーボルト、６…コンクリート外壁、６ａ…壁面、７…胴縁、８…断熱材、８ａ…表面、１１…把持部、１１ａ…第１把持部、１１ｂ…第２把持部、１１ｃ…第３把持部、１２，１２ａ，１２ｂ…係止部、１２ｐ…先端、１２ｑ…基端、１２ｘ…ベース部、１２ｙ…屈曲部、１２ｚ…折返し部、１３…リベットナット、２１…角部、２２…縁部、２３…ワッシャ孔、２３…内接円、２４…突出部、３１…ナット部材、３１ａ…雌ネジ部、３２…座金、３３…金具孔、３４…受部、５１…雄ネジ部、ＣＬ…中心線、ＣＰ…中心、Ｈ１,Ｈ２,Ｌ，Ｍ，Ｎ,Ｒ,Ｓ…距離、Θ１，Θ２，Θ３…角度。
【図１】
2006075923.tif 000003
【図２】
2006075923.tif 000004
【図３】
2006075923.tif 000005
【図４】
2006075923.tif 000006
【図５】
2006075923.tif 000007
【図６】
2006075923.tif 000008